【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
無線通信システムにおいてユーザー機器（ＵＥ）によって基地局（ＢＳ）に上りリンク制御（ＵＬ）情報を伝送する方法であって、前記方法は、
第１の搬送波上の４個の下りリンク（ＤＬ）伝送に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答シーケンス［ｘ（０），ｘ（１），ｘ（２），ｘ（３）］（ここで、ｘ（ｉ）は、前記第１の搬送波上のｉ番目のＤＬ伝送に対するＡＣＫ／ＮＡＣＫ／ＤＴＸ応答である）を検出することと、
第２の搬送波上の４個のＤＬ伝送に対する第２のＡＣＫ／ＮＡＣＫ／ＤＴＸ応答シーケンス［ｙ（０），ｙ（１），ｙ（２），ｙ（３）］（ここで、ｙ（ｉ）は、前記第２の搬送波上のｉ番目のＤＬ伝送に対するＡＣＫ／ＮＡＣＫ／ＤＴＸ応答である）を検出することと、
前記第１及び第２のＡＣＫ／ＮＡＣＫ／ＤＴＸ応答シーケンスに基づいて、複数の物理上りリンク制御チャネル（ＰＵＣＣＨ）リソースのうち一つを選択し、前記第１及び第２の搬送波のＡＣＫ／ＮＡＣＫ情報に対する伝送ビットを生成することによって、チャネル選択を行うことと、
前記選択されたＰＵＣＣＨリソース上で前記生成された伝送ビットを伝送することと
を含み、
前記第１のＡＣＫ／ＮＡＣＫ／ＤＴＸ応答シーケンスが［ＡＣＫ，ＡＣＫ，ＡＣＫ，ＡＣＫ］であり、かつ前記第２のＡＣＫ／ＮＡＣＫ／ＤＴＸ応答シーケンスが特定の応答シーケンスである場合に生成される第１の伝送ビットは、前記第１のＡＣＫ／ＮＡＣＫ／ＤＴＸ応答シーケンスが［ＡＣＫ，ＤＴＸ，ＤＴＸ，ＤＴＸ］であり、かつ前記第２のＡＣＫ／ＮＡＣＫ／ＤＴＸ応答シーケンスが前記特定の応答シーケンスである場合に生成される第２の伝送ビットと同じである、方法。
【請求項２】
前記第１のＡＣＫ／ＮＡＣＫ／ＤＴＸ応答シーケンスが［ＡＣＫ，ＡＣＫ，ＡＣＫ，ＡＣＫ］であり、かつ前記第２のＡＣＫ／ＮＡＣＫ／ＤＴＸ応答シーケンスが前記特定の応答シーケンスである場合に選択される第１のＰＵＣＣＨリソースは、前記第１のＡＣＫ／ＮＡＣＫ／ＤＴＸ応答シーケンスが［ＡＣＫ，ＤＴＸ，ＤＴＸ，ＤＴＸ］であり、かつ前記第２のＡＣＫ／ＮＡＣＫ／ＤＴＸ応答シーケンスが前記特定の応答シーケンスである場合に選択される第２のＰＵＣＣＨリソースと同じである、請求項１に記載の方法。
【請求項３】
下記の表に示されるケースに対して同じ伝送ビットが生成される、請求項２に記載の方法。
【表１】
2014504071.tif 000001
【請求項４】
前記ケース１〜４に対して同じＰＵＣＣＨリソースが選択される、請求項３に記載の方法。
【請求項５】
前記第１の搬送波及び前記第２の搬送波の一方は、主セルであり、他方は、副セルである、請求項１乃至４のいずれか１項に記載の方法。
【請求項６】
前記チャネル選択は、マッピングテーブルに従って行われ、前記マッピングテーブルは、下記の表に示されるマッピング関係を含み、
【表２】
2014504071.tif 000002
ここで、「ｎ（１）ＰＵＣＣＨｉ」は、前記複数のＰＵＣＣＨリソースの中のＰＵＣＣＨリソースｉ（０≦ｉ≦３）であり、「ａ０，ａ１」は、伝送ビット或いはコンステレーションを意味する、請求項５に記載の方法。
【請求項７】
無線通信システムにおいて基地局（ＢＳ）によってユーザー機器（ＵＥ）から上りリンク（ＵＬ）制御情報を受信する方法であって、前記方法は、
前記ユーザー機器（ＵＥ）に第１の搬送波及び第２の搬送波を伝送することと、
前記ユーザー機器（ＵＥ）から、複数の物理上りリンク制御チャネル（ＰＵＣＣＨ）リソースのうちの一つ上で前記第１及び第２の搬送波のＡＣＫ／ＮＡＣＫ情報に対応する伝送ビットを受信することと、
前記伝送ビット及び前記伝送ビットが受信された前記ＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答シーケンス［ｘ（０），ｘ（１），ｘ（２），ｘ（３）］（ここで、ｘ（ｉ）は、前記第１の搬送波上のｉ番目のＤＬ伝送に対するＡＣＫ／ＮＡＣＫ／ＤＴＸ応答である）、及び前記第２の搬送波に対する第２のＡＣＫ／ＮＡＣＫ／ＤＴＸ応答シーケンス［ｙ（０），ｙ（１），ｙ（２），ｙ（３）］（ここで、ｙ（ｉ）は、前記第２の搬送波上のｉ番目のＤＬ伝送に対するＡＣＫ／ＮＡＣＫ／ＤＴＸ応答である）を決定することと
を含み、
前記第１のＡＣＫ／ＮＡＣＫ／ＤＴＸ応答シーケンス及び前記第２のＡＣＫ／ＮＡＣＫ／ＤＴＸ応答シーケンスは、マッピングテーブルを用いて決定され、前記マッピングテーブルは、下記の表に示されるマッピング関係を含み、
【表３】
2014504071.tif 000003
ここで、「ｎ（１）ＰＵＣＣＨｉ」は、前記複数のＰＵＣＣＨリソースの中のＰＵＣＣＨリソースｉ（０≦ｉ≦３）であり、「ａ０，ａ１」は、伝送ビット或いはコンステレーションを意味する、方法。
【請求項８】
前記第１の搬送波は、主セルであり、前記第２の搬送波は、副セルである、請求項７に記載の方法。
【請求項９】
無線通信システムにおいて基地局（ＢＳ）に上りリンク（ＵＬ）制御情報を伝送するユーザー機器（ＵＥ）であって、前記ユーザー機器（ＵＥ）は
受信器と、
送信器と、
前記受信器及び前記送信器を制御するように構成されたプロセッサと
を備え、
前記プロセッサは、第１の搬送波上の４個の下りリンク（ＤＬ）伝送に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答シーケンス［ｘ（０），ｘ（１），ｘ（２），ｘ（３）］（ここで、ｘ（ｉ）は、前記第１の搬送波上のｉ番目のＤＬ伝送に対するＡＣＫ／ＮＡＣＫ／ＤＴＸ応答である）を検出し、第２の搬送波上の４個のＤＬ伝送に対する第２のＡＣＫ／ＮＡＣＫ／ＤＴＸ応答シーケンス［ｙ（０），ｙ（１），ｙ（２），ｙ（３）］（ここで、ｙ（ｉ）は、前記第２の搬送波上のｉ番目のＤＬ伝送に対するＡＣＫ／ＮＡＣＫ／ＤＴＸ応答である）を検出するように前記受信器を制御するように構成され、
前記プロセッサは、前記第１及び第２のＡＣＫ／ＮＡＣＫ／ＤＴＸ応答シーケンスに基づいて、複数の物理上りリンク制御チャネル（ＰＵＣＣＨ）リソースのうち一つを選択し、前記第１の搬送波及び前記第２の搬送波のＡＣＫ／ＮＡＣＫ情報のための伝送ビットを生成することによってチャネル選択を行うように構成され、
前記プロセッサは、前記選択されたＰＵＣＣＨリソース上で前記生成された伝送ビットを伝送するように前記送信器を制御するように構成され、
前記第１のＡＣＫ／ＮＡＣＫ／ＤＴＸ応答シーケンスが［ＡＣＫ，ＡＣＫ，ＡＣＫ，ＡＣＫ］であり、かつ前記第２のＡＣＫ／ＮＡＣＫ／ＤＴＸ応答シーケンスが特定の応答シーケンスである場合に生成される第１の伝送ビットは、前記第１のＡＣＫ／ＮＡＣＫ／ＤＴＸ応答シーケンスが［ＡＣＫ，ＤＴＸ，ＤＴＸ，ＤＴＸ］であり、かつ前記第２のＡＣＫ／ＮＡＣＫ／ＤＴＸ応答シーケンスが前記特定の応答シーケンスである場合に生成される第２の伝送ビットと同じである、ユーザー機器（ＵＥ）。
【請求項１０】
前記第１のＡＣＫ／ＮＡＣＫ／ＤＴＸ応答シーケンスが［ＡＣＫ，ＡＣＫ，ＡＣＫ，ＡＣＫ］であり、かつ前記第２のＡＣＫ／ＮＡＣＫ／ＤＴＸ応答シーケンスが前記特定の応答シーケンスである場合に選択される第１のＰＵＣＣＨリソースは、前記第１のＡＣＫ／ＮＡＣＫ／ＤＴＸ応答シーケンスが［ＡＣＫ，ＤＴＸ，ＤＴＸ，ＤＴＸ］であり、かつ前記第２のＡＣＫ／ＮＡＣＫ／ＤＴＸ応答シーケンスが前記特定の応答シーケンスである場合に選択される第２のＰＵＣＣＨリソースと同じである、請求項９に記載のユーザー機器（ＵＥ）。
【請求項１１】
前記プロセッサは、下記の表に示されるケースに対して同じ伝送ビットを生成するように構成された、請求項１０に記載のユーザー機器（ＵＥ）。
【表４】
2014504071.tif 000004
【請求項１２】
前記プロセッサは、前記ケース１〜４に対して同じＰＵＣＣＨリソースを選択するように構成された、請求項１１に記載のユーザー機器（ＵＥ）。
【請求項１３】
前記第１の搬送波及び前記第２の搬送波の一方は、主セルであり、他方は、副セルである、請求項９乃至１２のいずれか１項に記載のユーザー機器（ＵＥ）。
【請求項１４】
前記プロセッサは、マッピングテーブルを用いて前記チャネル選択を行い、前記マッピングテーブルは、下記の表に示されるマッピング関係を含み、
【表５】
2014504071.tif 000005
ここで、「ｎ（１）ＰＵＣＣＨｉ」は、前記複数のＰＵＣＣＨリソースの中のＰＵＣＣＨリソースｉ（０≦ｉ≦３）であり、「ａ０，ａ１」は、伝送ビット或いはコンステレーションを意味する、請求項１３に記載のユーザー機器（ＵＥ）。
【請求項１５】
無線通信システムにおいてユーザー機器（ＵＥ）から上りリンク（ＵＬ）制御情報を受信する基地局（ＢＳ）であって、前記基地局（ＢＳ）は、
受信器と、
送信器と、
前記受信器及び送信器を制御するように構成されたプロセッサと
を備え、
前記プロセッサは、前記ユーザー機器（ＵＥ）に第１の搬送波及び第２の搬送波を伝送するように前記送信器を制御し、複数の物理上りリンク制御チャネル（ＰＵＣＣＨ）リソースのうちの一つ上で前記第１及び第２の搬送波のＡＣＫ／ＮＡＣＫ情報に対応する伝送ビットを受信するように前記受信器を制御するように構成され、
前記プロセッサは、前記伝送ビット及び前記伝送ビットが受信された前記ＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答シーケンス［ｘ（０），ｘ（１），ｘ（２），ｘ（３）］（ここで、ｘ（ｉ）は、前記第１の搬送波上のｉ番目のＤＬ伝送に対するＡＣＫ／ＮＡＣＫ／ＤＴＸ応答である）、及び前記第２の搬送波に対する第２のＡＣＫ／ＮＡＣＫ／ＤＴＸ応答シーケンス［ｙ（０），ｙ（１），ｙ（２），ｙ（３）］（ここで、ｙ（ｉ）は、前記第２の搬送波上のｉ番目のＤＬ伝送に対するＡＣＫ／ＮＡＣＫ／ＤＴＸ応答である）を決定するように構成され、
前記プロセッサは、前記第１のＡＣＫ／ＮＡＣＫ／ＤＴＸ応答シーケンス及び前記第２のＡＣＫ／ＮＡＣＫ／ＤＴＸ応答シーケンスを、マッピングテーブルを用いて決定するように構成され、前記マッピングテーブルは、下記の表に示されるマッピング関係を含み、
【表６】
2014504071.tif 000006
ここで、「ｎ（１）ＰＵＣＣＨｉ」は、前記複数のＰＵＣＣＨリソースの中のＰＵＣＣＨリソースｉ（０≦ｉ≦３）であり、「ａ０，ａ１」は、伝送ビット或いはコンステレーションを示す、基地局（ＢＳ）。
【請求項１６】
前記第１の搬送波は、主セルであり、前記第２の搬送波は、副セルである、請求項１５に記載の基地局（ＢＳ）。
【手続補正２】
【補正対象書類名】明細書
【補正対象項目名】００５２
【補正方法】変更
【補正の内容】
【００５２】
参考として、図３乃至図７ではスクランブラ３０１、変調マッパー３０２、レイヤーマッパー３０３、プリコーダ３０４、リソース要素マッパー３０５、及びＯＦＤＭ信号生成器３０６が送信器１００ａ，１００ｂに備えられるとしたが、送信装置のプロセッサ４００ａ，４００ｂが、スクランブラ３０１、変調マッパー３０２、レイヤーマッパー３０３、プリコーダ３０４、リソース要素マッパー３０５、及びＯＦＤＭ信号生成器３０６を有するように構成されてもよい。同様に、図１乃至図７では信号復元器、多重化器、チャネル復調器が受信器３００ａ，３００ｂに備えられるとしたが、受信装置のプロセッサ４００ａ，４００ｂが、信号復元器、多重化器、及びチャネル復調器を有するように構成されてもよい。以下では、説明の便宜のために、スクランブラ３０１、変調マッパー３０２、レイヤーマッパー３０３、プリコーダ３０４、リソース要素マッパー３０５、及びＯＦＤＭ信号生成器３０６（ＳＣ−ＦＤＭＡ方式ではＤＦＴモジュール３０７をさらに含む。）が、それらの動作を制御するプロセッサ４００ａ，４００ｂと分離した送信器１００ａ，１００ｂに備えられ、信号復元器、多重化器、及びチャネル復調器が、それらの動作を制御するプロセッサ４００ａ，４００ｂとは分離した受信器３００ａ，３００ｂに備えられているとして説明する。しかし、スクランブラ３０１、変調マッパー３０２、レイヤーマッパー３０３、プリコーダ３０４、リソース要素マッパー３０５及びＯＦＤＭ信号生成器３０６，３０７がプロセッサ４００ａ，４００ｂに備えられた場合、及び信号復元器、多重化器、チャネル復調器（ＳＣ−ＦＤＭＡ方式ではＩＦＦＴモジュールをさらに含む。）が、プロセッサ４００ａ，４００ｂに備えられた場合にも本発明の実施例を同様に適用することができる。
【手続補正３】
【補正対象書類名】明細書
【補正対象項目名】０２６７
【補正方法】変更
【補正の内容】
【０２６７】
表３４で、（ａ０，ａ１）値は、信号コンステレーションの変調シンボル（コンステレーションシンボル（ｃｏｎｓｔｅｌｌａｔｉｏｎ）ともいう。）と２進ビット間のマッピング関係を示した表３２から誘導されたものである。
【手続補正４】
【補正対象書類名】明細書
【補正対象項目名】０２８８
【補正方法】変更
【補正の内容】
【０２８８】
以上開示された本発明の好ましい実施例についての詳細な説明は、当業者が本発明を具現して実施できるように提供された。以上では本発明の好適な実施例を参照して説明したが、当該技術の分野における熟練した当業者には、本発明の領域から逸脱しない範囲内で本発明を様々に修正及び変更できるということが理解されるであろう。したがって、本発明は、ここに開示されている実施形態に制限されるものではなく、ここに開示されている原理及び新規な特徴と一致する最も広い範囲を与えるためのものである。
本願明細書は、例えば、以下の項目も提供する。
（項目１）
無線通信システムにおいてユーザー機器が基地局に上りリンク（ＵＬ）制御情報を伝送する方法であって、
第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出することと、
第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出することと、
［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記伝送ビットを生成してチャネル選択を行うことと、
前記選択されたＰＵＣＣＨリソース上で前記生成された伝送ビットを伝送することと、を具備し、
［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、上りリンク制御情報伝送方法。
（項目２）
前記［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じＰＵＣＣＨリソースが選択される、項目１に記載の上りリンク制御情報伝送方法。
（項目３）
下記のケースに対して同じ伝送ビットが生成される、項目２に記載の上りリンク制御情報伝送方法。
【表３５】
2014504071.tif 000007
（項目４）
前記ケース１〜４に対して同じＰＵＣＣＨリソースが選択される、項目３に記載の上りリンク制御情報伝送方法。
（項目５）
前記第１の搬送波及び前記第２の搬送波のいずれか一つは主セル（Ｐｒｉｍａｒｙ  Ｃｅｌｌ）に該当し、残りの搬送波は副セル（Ｓｅｃｏｎｄａｒｙ  Ｃｅｌｌ）に該当する、項目１乃至４のいずれか１項に記載の上りリンク制御情報伝送方法。
（項目６）
前記チャネル選択は、マッピングテーブルによって行われ、該マッピングテーブルは、下記表のマッピング関係を含み、
【表３６】
2014504071.tif 000008
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、項目５に記載の上りリンク制御情報伝送方法。
（項目７）
無線通信システムにおいて基地局がユーザー機器から上りリンク（ＵＬ）制御情報を受信する方法であって、
前記ユーザー機器に第１の搬送波及び第２の搬送波を伝送することと、
前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信することと、
前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定することと、を具備し、
前記第１のＡＣＫ／ＮＡＣＫ／ＤＴＸ応答及び前記第２のＡＣＫ／ＮＡＣＫ／ＤＴＸ応答は、マッピングテーブルを用いて決定され、該マッピングテーブルは、下記表のマッピング関係を含み、
【表３７】
2014504071.tif 000009
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボルを意味する、上りリンク制御情報受信方法。
（項目８）
前記第１の搬送波は、主セル（Ｐｒｉｍａｒｙ  Ｃｅｌｌ）に該当し、前記第２の搬送波は、副セル（Ｓｅｃｏｎｄａｒｙ  Ｃｅｌｌ）に該当する、項目７に記載の上りリンク制御情報受信方法。
（項目９）
無線通信システムにおいて基地局に上りリンク（ＵＬ）制御情報を伝送するユーザー機器であって、
受信器と、
送信器と、
前記受信器及び前記送信器を制御するように構成されたプロセッサと、を備え、
前記プロセッサは、第１の搬送波上の４個の下りリンク（ＤＬ）伝送のそれぞれに対する４個の第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）を検出するように前記受信器を制御し、第２の搬送波上の４個のＤＬ伝送のそれぞれに対する４個の第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を検出するように前記受信器を制御し、
前記プロセッサは、［ｘ（０），ｘ（１），ｘ（２），ｘ（３）］及び［ｙ（０），ｙ（１），ｙ（２），ｙ（３）］に基づいて、複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースのうち一つを選択し、前記第１の搬送波及び前記第２の搬送波のＡＣＫ／ＮＡＣＫ情報のための伝送ビットを生成してチャネル選択を行うように構成され、
前記プロセッサは、前記選択されたＰＵＣＣＨリソース上で前記生成された伝送ビットを伝送するように前記送信器を制御し、
［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じ伝送ビットが生成される、ユーザー機器。
（項目１０）
前記プロセッサは、前記［ｙ（０），ｙ（１），ｙ（２），ｙ（３）］が同一であれば、［ｘ（０），ｘ（１），ｘ（２），ｘ（３）］＝［ＡＣＫ，ＡＣＫ，ＡＣＫ，ＡＣＫ］及び［ｘ（０），ｘ（１），ｘ（２），ｘ（３）］＝［ＡＣＫ，ＤＴＸ，ＤＴＸ，ＤＴＸ］に対して同じＰＵＣＣＨリソースを選択するように構成された、項目９に記載のユーザー機器。
（項目１１）
前記プロセッサは、下記のケースに対して同じ伝送ビットを生成するように構成された、項目１０に記載のユーザー機器。
【表３８】
2014504071.tif 000010
（項目１２）
前記プロセッサは、前記ケース１〜４に対しては同じＰＵＣＣＨリソースを生成するように構成された、項目１１に記載のユーザー機器。
（項目１３）
前記第１の搬送波及び前記第２の搬送波のいずれか一つは、主セル（Ｐｒｉｍａｒｙ  Ｃｅｌｌ）に該当し、残りの搬送波は、副搬送波（Ｓｅｃｏｎｄａｒｙ  Ｃｅｌｌ）に該当する、項目９乃至１２のいずれか１項に記載のユーザー機器。
（項目１４）
前記プロセッサは、マッピングテーブルを用いて前記チャネル選択を行い、該マッピングテーブルは、下記表のマッピング関係を含み、
【表３９】
2014504071.tif 000011
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、項目１３に記載のユーザー機器。
（項目１５）
無線通信システムにおいてユーザー機器から上りリンク（ＵＬ）制御情報を受信する基地局であって、
受信器と、
送信器と、
前記受信器及び送信器を制御するように構成されたプロセッサと、を備え、
前記プロセッサは、前記ユーザー機器に第１の搬送波及び第２の搬送波を伝送するように前記送信器を制御し、前記ユーザー機器から複数の物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）リソースの一つ上で伝送ビットを受信するように前記受信器を制御し、
前記プロセッサは、前記伝送ビット及び前記伝送ビットが受信されたＰＵＣＣＨリソースに基づいて、前記第１の搬送波に対する第１のＡＣＫ（ＡＣＫｎｏｗｌｅｄｇｅｍｅｎｔ）／ＮＡＣＫ（Ｎｅｇａｔｉｖｅ  ＡＣＫ）／ＤＴＸ（Ｄｉｓｃｏｎｔｉｎｕｏｕｓ  Ｔｒａｎｓｍｉｓｓｉｏｎ）応答［ｘ（０），ｘ（１），ｘ（２），ｘ（３）］（ここで、ｘ（ｉ）（０≦ｉ≦３）は、前記第１の搬送波上のｉ番目のＤＬ伝送に対するＡＣＫ／ＮＡＣＫ／ＤＴＸ応答）、及び前記第２の搬送波に対する第２のＡＣＫ／ＮＡＣＫ／ＤＴＸ応答［ｙ（０），ｙ（１），ｙ（２），ｙ（３）］（ここで、ｙ（ｉ）（０≦ｉ≦３）は、前記第２の搬送波上のｉ番目のＤＬ伝送に対するＡＣＫ／ＮＡＣＫ／ＤＴＸ応答）を決定するように構成され、
前記プロセッサは、前記第１のＡＣＫ／ＮＡＣＫ／ＤＴＸ応答及び前記第２のＡＣＫ／ＮＡＣＫ／ＤＴＸ応答をマッピングテーブルを用いて決定するように構成され、該マッピングテーブルは、下記表のマッピング関係を含み、
【表４０】
2014504071.tif 000012
ここで、ｎ（１）ＰＵＣＣＨｉは、前記複数のＰＵＣＣＨリソースのうち、ＰＵＣＣＨリソースｉ（０≦ｉ≦３）を意味し、ａ０，ａ１は、伝送ビット或いはコンステレーションシンボル（ｃｏｎｓｔｅｌｌａｔｉｏｎ）を意味する、基地局。
（項目１６）
前記第１の搬送波は、主セル（Ｐｒｉｍａｒｙ  Ｃｅｌｌ）に該当し、前記第２の搬送波は、副セル（Ｓｅｃｏｎｄａｒｙ  Ｃｅｌｌ）に該当する、項目１５に記載の基地局。